(57)【要約】      （修正有）【課題】患者が課金装置にテレビ視聴用のプリペイドカードを挿入したままベッドから離れた場合でも、プリペイドカードの盗難を防止することができる床頭台を提供する。【解決手段】床頭台１は、テレビ１００を設置するテレビ収納部２と、貴重品を収納する金庫室３と、テレビ収納部２に設置されたテレビ１００を視聴する際に使用される課金装置を収納する課金装置室４と、を備える。金庫室３の前面と課金装置室４の前面は、単一の扉１０によって同時に開閉自在にされている。扉１０に備えられた施錠部１０１によって金庫室３を施錠すると、課金装置室４も同時に施錠される。この状態で、扉１０に備えられた窓部１０２を透して、課金装置室４内に収納された課金装置の前面が外部から視認できる。【選択図】図２
0003203018.tif 000002
【実用新案登録請求の範囲】
【請求項１】
テレビを設置するテレビ収納部と、
貴重品を収納する金庫室と、
前記テレビ収納部に設置された前記テレビを視聴する際に使用される課金装置を収納する課金装置室と、
を備えた床頭台であって、
前記金庫室を施錠すると、前記課金装置室も同時に施錠される床頭台。
【請求項２】
前記金庫室と前記課金装置室とを同時に開閉する単一の扉を備えた請求項１に記載の床頭台。
【請求項３】
前記扉は、前記課金装置室内に収納された前記課金装置の前面に対向する位置に透明の部材を備えた請求項２に記載の床頭台。
【考案の詳細な説明】
【技術分野】
【０００１】
この考案は、主に病院で使用される床頭台に関する。
【背景技術】
【０００２】
病院等では、テレビや生活用品等を収納する床頭台がベッドの近傍に配置されている。従来、テレビ収納部にテレビを設置できるようにし、天板の上に自由に物が置けるようにした床頭台があった（例えば、特許文献１参照。）。テレビ収納部には、開閉可能な扉を設けたものもある。収納室にテレビを設置できるようにし、特許文献１の床頭台によれば、天板の上に物が置けるため、床頭台以外に別途キャビネットを用意する必要がなく、ベッド近傍のスペースを確保することができるとされている。
【先行技術文献】
【特許文献】
【０００３】
【特許文献１】実開平３−８２０３６号公報
【考案の概要】
【考案が解決しようとする課題】
【０００４】
しかし、特許文献１に記載されているような従来の床頭台は、次のような課題がある。
【０００５】
病院においてテレビの視聴は、通常、課金制となっている。患者は、プリペイドカードを購入して、テレビに接続されている課金装置にプリペイドカードを挿入して、テレビを視聴する。視聴を終えた後、課金装置からプリペイドカードを取り出し、次回、視聴するときまで保管する。しかし、所要のためベッドを離れたとき、課金装置からプリペイドカードを取り出すことを忘れてしまうと、プリペイドカードが盗まれる虞があった。従って、従来の床頭台では、上記のような場合、プリペイドカードの盗難を防止することはできないという課題がある。
【０００６】
この考案の目的は、課金装置にプリペイドカードを挿入したまま、ベッドから離れた場合でも、プリペイドカードの盗難を防止することができる床頭台を提供することにある。
【課題を解決するための手段】
【０００７】
この考案の床頭台は、テレビを設置するテレビ収納部と、貴重品を保管する金庫室と、テレビ収納部に設置されたテレビを視聴する際に使用される課金装置を収納する課金装置室とを備え、金庫室を施錠すると、課金装置室も同時に施錠される。
【０００８】
通常、患者は貴重品を金庫室に保管すると、盗難防止のため金庫室を施錠する。患者はベッドから離れる際は、なおさら貴重品の管理に注意を払っているものである。この構成は、患者が貴重品を金庫室に保管して金庫室を施錠すると、同時に課金装置室も施錠される。このため、患者がテレビを視聴する際に必要であるプリペイドカード（以下、単に「カード」と称する。）を課金装置に挿入したままベッドから離れても、課金装置室も施錠されているので、カードの盗難を防止することができる。
【０００９】
この構成において、金庫室と課金装置室とを同時に開閉する単一の扉を備えている。
【００１０】
この構成により、扉を閉めて金庫室を施錠すると、課金装置室も同時にこの扉で閉じられる。このような簡単な構成で、患者は金庫室の施錠と課金装置室の施錠とを同時に行うことができる。
【００１１】
また、扉は、課金装置室内に収納された課金装置の前面に対向する位置に透明の部材を備えていることが好ましい。患者は、金庫室を施錠した状態で課金装置の表示を視認することや、カードが課金装置に挿入されたままかどうかを直ちに確認することができる。
【考案の効果】
【００１２】
この考案によれば、患者が課金装置にテレビ視聴用のプリペイドカードを挿入したままベッドから離れた場合でも、プリペイドカードの盗難を防止することができる床頭台を構成することができる。
【図面の簡単な説明】
【００１３】
【図１】本考案の第１の実施形態に係る床頭台の閉扉時の斜視図である。
【図２】同床頭台の開扉時の斜視図である。
【図３】同床頭台の要部の正面図である。
【図４】（Ａ）及び（Ｂ）は、本考案の別の実施形態に係る床頭台の正面図である。
【考案を実施するための形態】
【００１４】
図１〜３に示すように、この考案の第１の実施形態に係る床頭台１は、テレビ収納部２と、金庫室３と、課金装置室４とを備える。テレビ収納部２は、テレビ１００が設置される。図１〜３では、テレビ収納部２は、床頭台１の天板上にテレビ１００を設置する構成としているが、床頭台１の天板の下方でテレビ１００を覆うような箱型の形状としても構わない。
【００１５】
金庫室３は、貴重品を保管するスペースである。
【００１６】
課金装置室４は、テレビ１００に接続される課金装置６が収納される。病院では、患者がテレビ１００を視聴したいときは、予め購入したプリペイドカードを課金装置６に挿入する。患者がテレビ１００を視聴した分だけ、プリペイドカードから金額が引かれていき、プリペイドカードの残額が０になるまで使用できるという仕組みになっている。プリペイドカードは、金額を追加して繰り返し使用可能なチャージ型のカードとしても良い。
【００１７】
課金装置６は、前面部に、プリペイドカードを挿入するカード挿入口６１、カードを取り出すときに押すカード取出ボタン６２、及びプリペイドカードの残高を表示する表示部６３が備えられている。
【００１８】
また、床頭台１は、上記のテレビ収納部２、金庫室３、及び課金装置室４の他に、複数の収納室を設けることができる。例えば、図１では、小型の冷蔵庫を設置できる程度の大きさの収納室７を床頭台１の下方に設けており、収納室７と金庫室３との間にある収納室は、引出し８にされている。
【００１９】
金庫室３と課金装置室４とは、単一の扉１０によって開閉される。このように構成すれば、扉１０によって金庫室３と課金装置室４とを同時に開閉することができる。そのような金庫室３及び課金装置室４の配置の一例として、図１では、左右に隣接するように配置した床頭台１を示している。
【００２０】
扉１０は、扉１０の下端部１０ａと、金庫室３の前面の開口部を形成する周縁部のうち下端に位置する端縁部３ａ、及び課金装置室４の開口部を形成する周縁部のうち下端に位置する端縁部４ａとがヒンジ１１ａ，１１ｂで接続されている。また、扉１０を開いたとき、扉１０が安定して水平状態を維持できるように、課金装置室４の側にある金庫室３の側面３ｂに支持部材を取り付けることもできる。
【００２１】
扉１０は、施錠部１０１と、窓部１０２とを備えている。施錠部１０１は、一例としてスライド式カードキーであり、扉１０を閉じたとき、金庫室３の前面に位置するように配設される。所定のカードキーを施錠部１０１のキー穴１０１ａに挿入して、右方向にスライドさせると、扉１０の内側で係止片１０１ｂが上方に露出し、金庫室３の前側上部の枠体３１に係合することで、扉１０の閉鎖位置から開放位置への移動を規制される。所定のカードキーを施錠部１０１のキー穴１０１ａに挿入して、左方向にスライドさせると、扉１０の内側で係止片１０１ｂが下方に退避し、金庫室３の前側上部の枠体３１との係合が解除され、扉１０を閉鎖位置から開放位置へ移動させることができる。施錠部１０１は、スライド式カードキーに限定されるものではなく、扉１０の形状等に応じて任意の構成とすることができる。
【００２２】
窓部１０２は、扉１０で金庫室３及び課金装置室４を閉じたとき、課金装置６の前面と対向する位置に設けられる。窓部１０２を設けることにより、扉１０を閉じた状態で、課金装置６の表示部６３を視認することができる。また、患者がカードをカード挿入口６１に挿入し忘れているかどうかを直ちに視認できる。窓部１０２の材質としては、透明のガラスやアクリル樹脂等が好ましい。また、窓部１０２のサイズは、上記の点から、少なくともカード挿入口６１と表示部６３とを視認することができるサイズとする。
【００２３】
上記のように構成された床頭台１は、次のように使用される。患者は、テレビ１００を視聴するとき、課金装置６のカード挿入口６１にカードを挿入する。表示部６３には、カードの残高が表示される。患者は、ベッドから離れる際、貴重品を金庫室３に入れて、扉１０を閉じて金庫室３を施錠する。このとき、カードがカード挿入口６１に挿入されたままであっても、扉１０によって金庫室３と課金装置室４とが覆われ、金庫室３の施錠と同時に課金装置室４も施錠されることとなる。
【００２４】
従って、金庫室３と同時に課金装置室４も施錠されるため、カードの盗難を防止することができる。また、扉１０に窓部１０２を設けているため、カードがカード挿入口６１に挿入したままになっていることを直ぐに確認することができる。
【００２５】
上記の実施形態では、金庫室３と課金装置収納室４とを左右に配置したが、金庫室３と課金装置室４とを単一の扉１０で覆うことができれば、これに限定されない。例えば、図４（Ａ）に示すように、金庫室３と課金装置室４とを上下に隣接するように配置することや、図４（Ｂ）に示すように、金庫室３と課金装置室４との間に別の収納室１００を設けることもできる。また、上下、左右に限られず、斜め方向に配置することもできる。これらの場合も、少なくとも金庫室３及び課金装置室４を単一の扉１０で閉じることができるように、扉１０の金庫室３と対向する位置に施錠部１０１を設け、課金装置６の前面に対向する位置に窓部１０２を設ける。
【００２６】
上記の実施形態はいずれも一例であり、この考案はこれらに限定されるものではなく、この考案の範囲内で種々の変更を加えることが可能である。
【符号の説明】
【００２７】
１−床頭台
２−テレビ収納部
３−金庫室
４−課金装置室
６−課金装置
１０−扉
１００−テレビ
１０１−施錠部
１０２−窓部
【図１】
0003203018.tif 000003
【図２】
0003203018.tif 000004
【図３】
0003203018.tif 000005
【図４】
0003203018.tif 000006